(57)【特許請求の範囲】
【請求項１】
測定光束を被検レンズに投光し、被検レンズを透過した測定光束を受光素子で受光して被検レンズの光学特性を測定する測定光学系と、前記測定光学系により測定される被検レンズの光学特性に基づいて前記測定光学系と被検レンズの所期する位置とのアライメント状態を検出するアライメント検出手段と、アライメントするためのアライメント画面を表示する表示手段と、を持つレンズメータにおいて、累進レンズ測定モードでは、被検レンズの測定位置を示すターゲットを前記アライメント画面の所定の固定位置に表示するとともに、累進レンズをイメージさせる累進帯のグラフィックを持つレンズマーク及びアライメントの目標を示す目標マークの各表示位置を前記アライメント検出手段の検出結果に基づいて一体的に変化させる表示制御手段であって、アライメント画面上での前記ターゲットに対する前記レンズマーク、及び前記目標マークの移動方向と前記測定光学系の光軸に対する被検レンズの移動方向とが合うように表示し、且つ、測定位置を遠用部に導くステップでは前記レンズマーク中の遠用部に相当する部分に前記目標マークを表示すると共にアライメント完了時に前記ターゲットと前記目標マークを合致させて表示し、測定位置を近用部に導くステップでは前記レンズマーク中の近用部に相当する部分に前記目標マークを表示すると共にアライメント完了時に前記ターゲットと前記目標マークを合致させて表示する表示制御手段と、備えることを特徴とするレンズメータ。
【請求項２】
請求項１のレンズメータは、累進レンズを測定する累進レンズ測定モードを持ち、前記測定光学系は被検レンズの複数位置の光学特性を同時に測定する光学系であり、測定光学系の測定結果に基づいて累進レンズの上下方向が逆に配置されているかを判定する判定手段を備えることを特徴とするレンズメータ。
【発明の詳細な説明】
【技術分野】
【０００１】
本発明は、被検レンズの光学特性を測定するレンズメータに関する。
【背景技術】
【０００２】
レンズメータの測定においては、ディスプレイ上に表示されたアライメント画面を見ながら被検レンズを移動させることにより、測定光軸に対する被検レンズの所期する部位のアライメントを行っている。例えば、累進多焦点レンズ（以下、累進レンズ）を測定するアライメント画面においては、累進レンズをシンボル化したレンズマーク（グラフィック）を画面上に固定して表示し、このレンズマーク上を現在の測定位置を示すターゲットが移動する表示方式を採用している（例えば、特許文献１参照））。
【特許文献１】特開２００３−７５２９６号公報
【発明の開示】
【発明が解決しようとする課題】
【０００３】
しかしながら、上記のような表示方式においては、次のような問題があった。例えば、眼鏡レンズ枠の下部をレンズテーブルに当てる方式の場合には、アライメント画面に表示される累進レンズのマークの上下が逆となって表示される。この状態でターゲットとレンズマークとの相関が取れるように表示すると、実際の被検レンズの移動方向に対するターゲットの移動方向が逆になり、検査に不慣れな者ではアライメント操作に手間取る問題があった。このため、矢印表示等によりレンズの移動方向を示唆する対応を取っていた。累進レンズのレンズマークを正立させれば、画面上でのレンズマークに対するターゲットの移動方向は合うが、画面上のレンズマークを基準にして見ると、装置に対するレンズの上下を逆にしてしまう可能性があり、検査に不慣れな検者では誤操作の要因となる。
【０００４】
本発明は、上記問題点を鑑み、被検レンズを移動すべき方向を的確に検者に伝達でき、操作性の向上を図ることができるレンズメータを提供することを技術課題とする。
【課題を解決するための手段】
【０００５】
（１）  測定光束を被検レンズに投光し、被検レンズを透過した測定光束を受光素子で受光して被検レンズの光学特性を測定する測定光学系と、前記測定光学系により測定される被検レンズの光学特性に基づいて前記測定光学系と被検レンズの所期する位置とのアライメント状態を検出するアライメント検出手段と、アライメントするためのアライメント画面を表示する表示手段と、を持つレンズメータにおいて、累進レンズ測定モードでは、被検レンズの測定位置を示すターゲットを前記アライメント画面の所定の固定位置に表示するとともに、累進レンズをイメージさせる累進帯のグラフィックを持つレンズマーク及びアライメントの目標を示す目標マークの各表示位置を前記アライメント検出手段の検出結果に基づいて一体的に変化させる表示制御手段であって、アライメント画面上での前記ターゲットに対する前記レンズマーク、及び前記目標マークの移動方向と前記測定光学系の光軸に対する被検レンズの移動方向とが合うように表示し、且つ、測定位置を遠用部に導くステップでは前記レンズマーク中の遠用部に相当する部分に前記目標マークを表示すると共にアライメント完了時に前記ターゲットと前記目標マークを合致させて表示し、測定位置を近用部に導くステップでは前記レンズマーク中の近用部に相当する部分に前記目標マークを表示すると共にアライメント完了時に前記ターゲットと前記目標マークを合致させて表示する表示制御手段と、備えることを特徴とする。
（２）  （１）のレンズメータは、累進レンズを測定する累進レンズ測定モードを持ち、前記測定光学系は被検レンズの複数位置の光学特性を同時に測定する光学系であり、測定光学系の測定結果に基づいて累進レンズの上下方向が逆に配置されているかを判定する判定手段を備えることを特徴とする。
【発明の効果】
【０００６】
本発明によれば、被検レンズを移動すべき方向を的確に伝達でき、アライメントの操作性の向上を図ることができる。
【発明を実施するための最良の形態】
【０００７】
本発明の実施の形態を図面に基いて説明する。図１は実施形態のレンズメータ装置の外観略図である。
【０００８】
１はレンズメータ本体である。２はＬＣＤ等で構成されたディスプレイであり、測定結果やアライメント用のターゲット等の測定に必要な情報が表示される。３は入力用のスイッチ部であり、ディスプレイ２上に表示されるスイッチ表示に対応したものを押すことにより、測定モードの切換え等の必要な入力指示を行うことができる。４は被検レンズＬＥが載置される載置部材としてのノーズピースである。５はレンズ押えであり、これを下に降ろすことでノーズピース４上に載せられたレンズＬＥを安定して保持することができる。
【０００９】
６は前後方向に移動可能なレンズ当てであり、眼鏡フレーム入りレンズＬＥの測定において左右フレームの下端（本明細書では、眼鏡枠やレンズの上下とは眼鏡を装用した状態での上下を意味するものとして使用する）に当接させて安定させることにより、乱視軸角度測定を正確に行うことができる。７は印点機構である。８はレンズＬＥの光学特性データを読み取るためのＲＥＡＤスイッチである。スイッチ８を押すことにより、測定値がディスプレイ２にホールド表示されると共に、装置内部のメモリに記憶される。９は装置に電源を投入する電源スイッチである。
【００１０】
図２は光学系と制御系の概略構成図である。１０は測定光学系であり、Ｌ１はその測定光軸である。測定光学系１０は、ＬＥＤ等の測定光源１１、コリメーティングレンズ１２、ミラー１３、測定指標が形成された測定指標板であるグリッド板１４、２次元受光センサ１５を備える。グリッド板１４は本体１の保持部材１６に保持され、グリッド板１４の上にノーズピース４の開口４ａが位置する。その開口４ａは、直径８ｍｍの円形である。
【００１１】
図３は、グリッド板１４に形成された指標パターンを示す図である。グリッド板１４の外径はノーズピース４の開口４ａの内径よりやや大きく形成されている。グリッド板１４の後面（受光センサ１５側の面）には、多数の円形孔からなる測定指標２０が形成されている。本実施例のおける測定指標２０は、測定光軸Ｌ１が通る中心位置に形成された直径０．４ｍｍの中心孔２１と、その回りに格子状に配置された直径φ０．２ｍｍの多数の小孔２２からなる。小孔２２は０．５ｍｍピッチで格子状に分布されている。測定指標２０は、孔２１及び孔２２を白抜きした黒Ｃｒコートをグリッド板１４の後面に施すことにより形成することができる。中心孔２１（後述する中心ドット像２１Ｐ）は、他の孔２１の対応関係を特定するための基準指標、すなわち、レンズＬＥ無しの状態の「０Ｄ基準」に対して、レンズＬＥが置かれたときに対応する各ドット像を特定するための基準指標として使用される。基準指標しては、他の測定指標と区別できれば、グリッド板１４の中心に限らず、他の場所にあたっても良いし、その個数や形状も限定されない。
【００１２】
測定光源１１からの光束は、コリメーティングレンズ１２により平行光束とされた後、ミラー１３により反射され、ノーズピース４上に載置されるレンズＬＥに投光される。レンズＬＥを透過した光の内、グリッド板１４の孔２１及び孔２２を通過した光束が受光センサ１５に入射する。
【００１３】
受光センサ１５からの出力信号は制御部４０に入力される。制御部４０には、装置の電源投入時にレンズＬＥ無しの状態で検出される「０Ｄ基準」のドット像の座標及び測定情報等を記憶するメモリ４２が接続されている。制御部４０は、レンズＬＥが置かれていない場合に受光センサ１５に入射した各孔２２のドット像の座標位置を基準にし、屈折力を持つレンズＬＥを置いた場合の各ドット像の位置変化から、レンズＬＥの光学特性（球面度数Ｓ、柱面度数Ｃ、乱視軸角度Ａ、プリズム量Δ）を演算する。例えば、球面度数のみを持つレンズＬＥが置かれた場合は、レンズＬＥが無い場合に対して、各ドット像はレンズＬＥの光学中心から円形状に等距離に拡大、縮小する。この拡大又は縮小量に基づいて球面度数Ｓが求められる。また、柱面度数Ｃのみを持つレンズＬＥが置かれた場合は、レンズＬＥが無い場合に対して、各ドット像はレンズＬＥの軸中心から楕円状に拡大又は縮小する。この拡大又は縮小量に基づいて柱面度数Ｃ、乱視軸角度Ａが求められる。また、プリズム量Δは、レンズＬＥの中心ドット像又はその付近のドット像の平行移動量によって求められる。球面度数、柱面度数及びプリズムを持つレンズはこれらの複合と考えれば良い（特開昭５０−１４５２４９を参照）。
【００１４】
ここで、レンズＬＥの光学特性は、隣接する４つ（少なくとも３つ）のドット像を１組として演算する他、３×３点，４×４点，または５×５点等のドット像を１組とし、各ドット像の平均変化から光学特性を算出しても良い。その場合の測定位置は１組のドット像範囲の中心位置、あるいは特定のドット像位置として決めておく。隣りの場所の測定位置は、１ドット分ずらして演算することにより、測定位置の分解能を落とさずに測定できる。本実施形態では、３×３点のドットを１組とし、１ドット分ずらして多数の測定位置での光学特性を測定する。ノーズピース４の開口４ａ内では、７ｍｍほどの範囲が測定可能である。３×３点以上のドットを１組として演算する場合は、ゴミ等により一部のドット像が検出できなくても、その測定位置の演算が可能である。従って、ノーズピースの開口４ａ内にて複数の測定位置の情報が一度に得られ、ノーズピース開口４ａ内における光学特性分布が得られる。このため、累進レンズにおいては、現在の測定位置が遠用部にあるか否か、同様に現在の測定位置が近用部にあるか否か、あるいは累進帯にあるか否か等のアライメント状態が、効率良く検出できる。制御部４０はアライメント状態の検出結果を基に、ディスプレイ２のアライメント画面の表示を制御する。また、制御部４０は受光センサ１５の出力に基づき屈折度数分布を所定の時間間隔毎に連続的に得る。
【００１５】
なお、ノーズピース開口４ａ内等の所定領域の屈折度数分布を被検レンズの移動無しに測定可能な測定光学系は、図２に示した構成に限られるものでは無い。例えば、グリッド板１４は、レンズＬＥより光源１２側に配置しても良いし、光源１２をグリッド状に配置する構成であっても良い。屈折度数分布の測定としては、少なくとも測定光軸を中心に上下方向及び左右方向に測定位置を形成することが好ましい。
【００１６】
以上のような構成を備えるレンズメータにおいて、累進レンズのアライメントを中心に説明する。まず、検者はスイッチ部３の入力によって、単焦点レンズの測定モードもしくは累進レンズの測定モードを選択するとともに、測定するレンズが右レンズか左レンズであるかを指定する。以下では、累進レンズの測定モードにて、右眼用レンズを選択した場合について説明する。
【００１７】
累進レンズの測定モードに設定されると、ディスプレイ２のアライメント画面２ａには、累進レンズをイメージさせる累進帯のグラフィックを持つレンズマーク１００と、測定位置を示すターゲット１０１が表示される。累進レンズの近用部は遠用部に対して２ｍｍほど内寄せ側（鼻側）に位置するので、右眼用レンズが指定された場合、レンズマーク１００上の累進帯図は、やや左側に傾斜したグラフィックとして表示される（図１、図４等参照）。このレンズマーク１００は、レンズＬＥの移動によるアライメント状態の変化にともなって移動して表示され、一方、ターゲット１０１は画面２ａの中央に固定して表示される。
【００１８】
また、レンズマーク１００は、上下が反転して表示されている。これは、検者が被検レンズをノーズピース４上に載置する際、レンズＬＥの上方を装置手前方向に設置するように誘導する役割をもつ。本装置では、ディスプレイ２の表示画面の上方向が装置の奥側に相当し、画面下方向が装置の手前側に相当する関係にある。
【００１９】
ここで、ノーズピース４上に被検レンズが載せられていない状態では、図４（ａ）に示すように、レンズマーク１００の中央部がターゲット１０１に位置するように表示される。これにより、検者がレンズＬＥの中央部付近をノーズピース４に載せるイメージが検者に与えられる。累進レンズの中央部は加入度の入った累進帯中央部であることが多いため、遠用部位置を特定する際、加入度が入った部分から加入度が無くなる部分（加入度が始まる場所）へと測定位置を移動させるように誘導することにより、遠用部の位置をより正確に特定しやすくなる。また、累進帯中央部の光学特性を測定した時に、測定光軸を中心とした上下方向の測定位置にて測定される加入度数の勾配に基づいて、被検レンズが上下方向に正しく設置されたか否かを判定することができる。すなわち、レンズの上方位置におけるＳＥ値（等価球面値）がレンズの下方位置のＳＥ値より大きければ、レンズＬＥの上下が逆に設置されていると判定される。レンズＬＥの設置が上下逆であると判定されたときは、ディスプレイ２上にその旨の警告が表示される。
【００２０】
ノーズピース４上にレンズＬＥが載せられると、ノーズピース開口４ａ内で測定される光学特性分布から、測定位置がレンズＬＥのどの辺りにあるか（測定光軸に対する大まかなアライメント状態が）、制御部４０により判定される。すなわち、レンズＬＥの上下方向にＳＥ値や球面度数Ｓの変化があれば、測定位置がレンズ中央位置付近（累進帯中央部）にあると判定される。レンズＬＥの上下左右方向に加入度数や柱面度数Ｃの変化がなく、水平プリズム量が略０であれば、測定位置が遠用部付近にあると判定される。レンズＬＥの左右方向に柱面度数Ｃの勾配があれば、測定位置が累進帯の左右位置付近であると判定される。
【００２１】
図４（ｂ）は、レンズＬＥがノーズピース４に載せられた時に、測定位置がレンズ中央位置と判定された時の表示画面である。なお、レンズＬＥがノーズピース４に載せられたと判定されると、始めに測定位置を遠用部に導くステップとして、アライメントの移動目標となる十字マーク１１０が、累進帯グラフィックの表示との相関を取るように、レンズマーク１００中の遠用部位置に相当する部分に表示される。この時、制御部４０はＳＥ値又は球面度数Ｓ、及びプリズム量の分布情報をメモリ４２に記憶しておく。図４（ｂ）の表示状態で、十字マーク１１０をターゲット１０１に寄せるべく、検者がレンズＬＥを装置奥側に移動させると、図４（ｃ）の如く、中央に固定表示されたターゲット１０１に対してレンズマーク１００と十字マーク１１０とが画面上の上側に移動（表示位置が変化）するように表示される。レンズＬＥの移動があると、プリズム量と光学特性の数値が変化するので、制御部４０はプレンティスの式［偏心量（ｍｍ）＝（プリスム量／度数）×１０］に基づき、始めに記憶した測定位置からの移動距離を算出する。そして、算出された移動距離に基づいて随時レンズマーク１００及び十字マーク１１０と一体的に移動させる（表示位置を変化させる）。
【００２２】
検者はレンズＬＥの遠用部を測定光軸にアライメントすべく、さらに十字マーク１１０がターゲット１０１の枠内に入るようレンズを移動させていく。制御部４０は、光軸中心で得られるＳＥ値又は球面度数Ｓの変化から、加入度数のほぼ無くなった領域に入ったら遠用部であると判定し、図４（ｄ）のように、レンズマーク１００の移動位置を十字マーク１１０がターゲット１０１内に入る位置関係にすると共に、十字マーク１１０を大十字１１５へと変える。これにより、検者に遠用部のアライメント完了の旨が報知され、同時に、遠用部の測定値がメモリ４２に記憶される。
【００２３】
図４（ｅ）は、遠用部のアライメントにおいて、左右方向のアライメントがずれている場合の表示例である。左右方向のずれは、水平方向のプリズム量の変化に基づいて判定される。図４（ｅ）の例では、ターゲット１０１を右方向に位置するターゲット１０１に入れるべく、レンズＬＥを右方向に移動させれば良い。
【００２４】
なお、図４（ｂ）の表示画面では、レンズマーク１００の中央部にターゲット１０１が表示されているが、制御部４０は被検レンズの上下方向に等価球面値ＳＥや球面度数Ｓの変化から、累進帯を測定していることは判定できるが、遠用部までの距離は判定することはできない。このため、実際の測定位置がレンズ下端側に近い累進帯にあるような場合、レンズＬＥの移動量に基づいてレンズマーク１００を一定の関系で移動させると、レンズマーク１００と十字マーク１１０がターゲット１０１を通りすぎてしまうことになる。このようなアライメント表示では、検者がレンズＬＥを移動させるべき方向を戸惑ってしまうので、本装置では測定位置が遠用部に近づくにつれて、レンズマーク１００と十字マーク１１０の表示移動量を減少させていき、アライメントが完了したら十字マーク１１０とターゲット１０１が合致するような表示方法を行っている。
【００２５】
逆に、実際の測定位置が遠用部に近い累進帯にあるような場合、表示画面上では十字マーク１１０とターゲット１０１の距離が実際より離れて見えることがあるが、測定位置が遠用部に達したと判定されたときには、レンズマーク１００と十字マーク１００をジャンプさせて、アライメント完了とする表示方法を行っている。被検レンズ移動中も常に表示が反応するので、検者は測定位置が把握しやすく、レンズＬＥの移動を的確に行うことができる。
【００２６】
遠用部の測定値がメモリ４２に記憶されると、近用部の測定ステップに移る。図５（ａ）に示すように、遠用部を示した十字マーク１１０は消去され、新たな十字マーク１２０が、累進帯グラフィックの表示と相関を取るように、レンズマーク１００の近用部に相当する場所に表示される。十字マーク１２０は、遠用部のマークと異なる他のマークにしてもよい。今度は、ここから近用部の光学特性を測定すべく、十字マーク１２０がターゲット１０１の枠内に入るようにレンズＬＥを装置手前側に移動させていく。この時、制御部４０は、メモリ４２に記憶された遠用部におけるプリズム量と光学特性を基づいて、遠用部からの移動距離を算出する。そして、算出された移動距離に基づいて十字マーク１２０及びレンズマーク１００がターゲット１０１に向かうように移動表示する（表示位置を変化させる）。
【００２７】
図５（ｂ）及び図５（ｃ）は、近用部へのアライメント移動中、測定位置が累進帯から右方向に外れてしまった例であり、ターゲット１０１と累進帯グラフィックとは、実際に測定位置が累進帯の右方向にずれたことをイメージさせる表示状態となっている。この場合、ターゲット１０１に対して十字マーク１２０及びレンズマーク１００が左側にずれて表示されているので、レンズＬＥを右方向に移動させれば良いことが、即座に分かる。左右方向のずれは、先に記憶した遠用部の乱視度数Ｃと現在測定されている乱視度数Ｃとの差の絶対値を光学歪み量とし、測定光軸を中心とした左右方向の測定位置で検出される光学歪み量の大きさで判定できる。光学歪み量の最小値が光軸中心よりも左側の測定位置にあれば、測定光軸は右側にずれている判定される。制御部４０は、測定光軸中心の光学歪み量が０．５Ｄ以上であれば、図５（ｂ）のようにレンズマーク１００の累進帯グラフィック部分がターゲット１０１に掛かるよう表示する。また、光学歪み量が０．５Ｄよりも小さいなずれを生じた場合でも、そのずれ量に応じてターゲット１０１に対する累進帯グラフィックの左右位置のずれを表現した表示としても良い（図５（ｃ）参照）。近用部の左右位置の位置合わせ時には、図５（ｂ），図５（ｃ）のように、ターゲット１０１に対する累進帯グラフィックの位置ずれの表示により、測定位置を累進帯に戻す必要があることを的確に検者に伝達できる。
【００２８】
検者がターゲット１０１に十字マーク１２０が近づくようにレンズＬＥを移動させることにより、測定光軸を中心として上下方向の測定位置で検出される加入度（あるいはＳＥ値）が上昇し、あるところでほぼ一定となれば、制御部４０により上下方向の測定位置が近用部にあると判定される。また、左右方向については、光軸中心の測定位置における光学歪み量が最小値となれば、左右方向の位置も近用部にあると判定される。測定位置が近用部にあると判定されると、図５（ｄ）のように、十字マーク１２０が大十字１２５へと変えられ、これがターゲット１０１内に入った位置に表示される。これにより、検者は近用部へのアライメント完了を知ることができ、検者がＲＥＡＤスイッチ８を押すことにより、近用部測定値がメモリ４２に記憶される（アライメント完了と共に、自動的に近用測定値がメモリ４２に記憶されるようにしてもよい）。近用部へのアライメント表示においても、遠用部へのアライメントと同様に、レンズマーク１００と十字マーク１２０の表示移動量の減少を行ったり、レンズマーク１００と十字マーク１００のジャンプを行うものとする。
【００２９】
なお、加入度がピークポイントを持たず、右肩上がりに加入度が上昇していく累進レンズでは近用部の判定ができないので、測定位置がレンズ上端に達してしまったら、その時点でＲＥＡＤスイッチ８を押して測定を終了すれば良い。この場合、十字マーク１２０の表示もターゲット１０１に達しないままの表示とされる。
【００３０】
以上のように測定位置を示すターゲット１０１に対する累進帯グラフィックを含むレンズマーク１００、累進帯グラフィックに対する遠用部、近用部の位置関係の相関をとる表示としつつ、遠用部のマーク１００や近用部のマーク１２０とレンズマーク１００とが一体的に移動するように、各マークの表示位置が制御される。この表示制御により、レンズＬＥの移動方向を正しく検者に伝えることができるので、検者は容易に、且つ的確にアライメント操作を行うことができる。
【００３１】
なお、以上のようなアライメント画面の表示制御は、累進レンズの測定モードに限らず、単焦点レンズの測定モードにおいても使用可能である。すなわち、図６に示すように、アライメント画面の中央に固定的に表示されたターゲット１０１に対して、レンズＬＥをイメージさせるレンズマーク２００、及びレンズマーク２００の中心に位置する光学中心に相当する十字マーク１５０をアライメントずれにより移動表示する。
【００３２】
また、測定光学系については、上述した異なる測定位置の光学特性を同時に測定可能なものに限らず、測定光軸を中心とした一組の測定光束（同一円周上に位置する少なくとも３つの測定光束）により被検レンズの光学特性をポイント測定する光学系であっても、上記の表示制御は適用できる。
【００３３】
また、上記では累進測定モードと単焦点レンズの測定モードの切換えをスイッチ操作によるものとしたが、単焦点レンズか累進レンズか不明な場合もあるので、累進レンズか単焦点レンズであるかを自動的に判定機能を使用すると都合が良い。図２で示した光学系においては、ノーズピース４内の複数に位置の度数が同時に得ることができるので、被検レンズを移動させずに、球面度数Ｓ、ＳＥ値及び柱面度数Ｃの変化を得ることができる。累進レンズの自動判定モードをスイッチ部３により設定した場合、電源投入時には、単焦点レンズ測定モードの状態とし、図６と同じく、表示画面には単焦点レンズを模式的に示したレンズマーク２００が表示されている。
【００３４】
被検レンズの載置が検出されると、累進レンズもしくは単焦点レンズであるかのレンズ判定を開始する。この時、測定された領域内の測定された領域内のＳＥ値またはＳ値の最大値と最小値の差が０．２５Ｄ以上、もしくはＣ値の最大値と最小値の差が０．２５Ｄ以上ある場合には、制御部４０は累進レンズと判定するものとする。制御部４０が累進レンズと判定した場合、検者へ累進レンズである旨のメッセージが表示され、自動的に累進レンズモードに切り替わる（図４参照）。そして、引き続き画面表示に従い累進レンズの測定を進めていく。一方、単焦点レンズと判定された時には、画面表示はそのままで、ノーズピース４の中央部位置に相当する４点のドットから単一の測定値を求めるＰＯＩＮＴ測定に切り替わる。これは、制御部４０が上記のように複数の位置の度数を得るべく演算を行う場合、演算処理が遅くなりアライメント処理に時間がかかる一方、ＰＯＩＮＴ測定であれば、演算処理が早く、軽快なアライメント操作が可能になるためである。
【００３５】
また、アライメント操作中に累進レンズまたは単焦点レンズかを判定するようにしてもよい。最初は、単焦点モードでの表示画面であるため、光学中心１５０がターゲット１０１枠内に移動するようアライメントが行われる。このアライメント中に、制御部４０により累進レンズまたは単焦点レンズかの判定を行う。この時、ノーズピース４の中央部に相当する４点のドット像からＰＯＩＮＴ測定と同じ測定結果が得ておき、表示画面に結果を表示しておく。このようにすれば、被検レンズが単焦点レンズの時には素早く測定結果を得ることができる。
【００３６】
また、被検レンズが累進レンズの時においても、レンズの幾何中心へのアライメントを行うことによりレンズ判定の精度を向上させることができる。累進レンズの遠用部付近は比較的度数の変化が小さいため、遠用部がノーズピース４上に載ると単焦点レンズと誤認する可能性がある。そこで、レンズの幾何中心へとアライメント操作を行うように誘導表示すれば、レンズ移動中に、度数の変化をとらえることができ、累進レンズと判定できる。
【００３７】
また、被検レンズを載せたばかりの時のアライメント操作は、比較的レンズの移動量が大きく測定値が安定しないが、被検レンズが光学中心付近に移動し、移動量が小さくなってから判定を行うことにより、正確な判定を行うことができる。
【００３８】
なお、累進レンズと判定されたときに、自動的に累進レンズモードに切り替わるのではなく、表示画面において切り替えるか否かのメッセージを表示しておき、検者のスイッチ操作によって、切り替える構成としてもよい。
【図面の簡単な説明】
【００３９】
【図１】実施形態のレンズメータ装置の外観略図である。
【図２】光学系と制御系の概略構成図である。
【図３】グリッド板に形成された指標パターンを示す図である。
【図４】累進レンズ測定モードにおけるディスプレイ２の表示画面を示す図である。
【図５】近用部の光学特性を測定する時のディスプレイ２の表示画面を示す図である。
【図６】単焦点レンズ測定モードにおけるディスプレイ２の表示画面を示す図である。
【符号の説明】
【００４０】
１  レンズメータ本体
２  ディスプレイ
２ａ  アライメント画面
４０  制御部
１００  レンズマーク
１０１  ターゲット
１１０  十字マーク
１１５  大十字
１２０  十字マーク
ＬＥ  被検レンズ
【図１】
0004756828.tif 000002
【図２】
0004756828.tif 000003
【図３】
0004756828.tif 000004
【図４】
0004756828.tif 000005
【図５】
0004756828.tif 000006
【図６】
0004756828.tif 000007